(57)【特許請求の範囲】
【請求項１】
固定接点、該固定接点に対向して配設された可動接点、および、側方に突出しかつ前記固定接点および可動接点にそれぞれ電気的に接続された第１および第２の外部接続端子を有し、熱応動素子の変形動作によって前記可動接点を変位させて該可動接点を前記固定接点に対して開閉するように構成されたスイッチ機構部と、
前記第１および第２の外部接続端子が貫通する態様で前記スイッチ機構部の周囲に位置される周壁部を有し、前記各外部接続端子と一体成形することによって該各接続端子の貫通部を密着封止した樹脂製の有底ケースと、
前記ケースの上部開口が密封されるように前記ケースの周壁部の上端面に密着固定した電気絶縁材料からなるフィルム状のカバー部材と、を備え、
前記スイッチ機構部は、一端部に前記可動接点を設けるとともに他端部を前記第２の外部接続端子に電気的に接続した可動板を備え、該可動板の上方に位置した前記熱応動素子の変形動作によって前記可動板の一端部を上方に変位させて前記可動接点を前記固定接点から離間させるよう構成され、
前記可動板は、その先端部がその後方の部位よりもほぼ該可動板の厚み分だけ上方に位置されるように段状に曲げ加工されるとともに、前記可動接点の後端近傍に位置した部位から後方に向かって突出する切上げ部が形成され、
前記熱応動素子は、前記可動板を変位させるために、前記切上げ部の下方に形成された空間にその先端部を嵌挿させた、
ことを特徴とするサーマルプロテクタ。
【請求項２】
固定接点、該固定接点に対向して配設された可動接点、および、側方に突出しかつ前記固定接点および可動接点にそれぞれ電気的に接続された第１および第２の外部接続端子を有し、熱応動素子の変形動作によって前記可動接点を変位させて該可動接点を前記固定接点に対して開閉するように構成されたスイッチ機構部と、
前記第１および第２の外部接続端子が貫通する態様で前記スイッチ機構部の周囲に位置される周壁部を有し、前記各外部接続端子と一体成形することによって該各接続端子の貫通部を密着封止した樹脂製の無底ケースと、
前記ケースの上部開口および下部開口が密封されるように前記ケースの周壁部の上端面および下端面にそれぞれ密着固定した電気絶縁材料からなるフィルム状のカバー部材と、を備え、
前記スイッチ機構部は、一端部に前記可動接点を設けるとともに他端部を前記第２の外部接続端子に電気的に接続した可動板を備え、該可動板の上方に位置した前記熱応動素子の変形動作によって前記可動板の一端部を上方に変位させて前記可動接点を前記固定接点から離間させるよう構成され、
前記可動板は、その先端部がその後方の部位よりもほぼ該可動板の厚み分だけ上方に位置されるように段状に曲げ加工されるとともに、前記可動接点の後端近傍に位置した部位から後方に向かって突出する切上げ部が形成され、
前記熱応動素子は、前記可動板を変位させるために、前記切上げ部の下方に形成された空間にその先端部を嵌挿させた、
ことを特徴とするサーマルプロテクタ。
【請求項３】
前記ケースの周壁部の端面が面一に形成されていることを特徴とする請求項１または２に記載のサーマルプロテクタ。
【請求項４】
前記カバー部材の機械的強度を増すために、該カバー部材の外面を薄肉の金属板からなる補強カバー板で覆ったことを特徴とする請求項１〜３のいずれかに記載のサーマルプロテクタ。
【請求項５】
接触不安定による前記固定接点と可動接点の異常発熱もしくは異常過大電流による前記可動板の異常発熱に起因して前記熱応動素子が過剰に変形作動した際に、前記可動板の先端部が前記ケースの上部開口を封止するカバー部材の内面に当接するように該カバー部材と前記スイッチ機構部の相対位置関係を設定し、かつ、前記カバー部材の内面を、該内面に当接した前記可動板の先端部の熱によって溶融可能な樹脂で形成したことを特徴とする請求項１または２に記載のサーマルプロテクタ。
【請求項６】
前記熱応動素子として所定の温度下で反転作動するバイメタル素子を用いたことを特徴とする請求項１〜５のいずれかに記載のサーマルプロテクタ。
【請求項７】
前記熱応動素子として所定の温度下で変形作動する形状記憶合金を用いたことを特徴とする請求項１〜５のいずれかに記載のサーマルプロテクタ。
【請求項８】
前記カバー部材が、熱硬化性樹脂あるいは紙からなるフィルムの一方の面に熱可塑性樹脂をコーティングした構成を有し、前記熱可塑性樹脂を加熱溶融することによってこのカバー部材を前記ケースに接着固定したことを特徴とする請求項１〜７のいずれかに記載のサーマルプロテクタ。
【請求項９】
前記カバー部材が、熱硬化性樹脂からなるフィルムの一方の面に熱可塑性樹脂からなるフィルムをラミネートした構成を有し、前記熱可塑性樹脂からなるフィルムを加熱溶融することによってこのカバー部材を前記ケースに接着固定したことを特徴とする請求項１〜７のいずれかに記載のサーマルプロテクタ。
【請求項１０】
前記カバー部材が、熱硬化性樹脂あるいは耐熱紙からなるフィルムに熱可塑性樹脂からなるフィルムを重ね合わせた構成を有し、前記熱可塑性樹脂からなるフィルムを加熱溶融することによってこのカバー部材を前記ケースに接着固定したことを特徴とする請求項１〜７のいずれかに記載のサーマルプロテクタ。
【請求項１１】
前記カバー部材が、互いに融点の異なる複数枚の熱可塑性樹脂からなるフィルムを融点の最も高いフィルムが外面側に位置する態様で積層した構成を有し、少なくとも最も融点の高いフィルムを除くフィルムを加熱溶融することによってこのカバー部材を前記ケースに接着固定したことを特徴とする請求項１〜７のいずれかに記載のサーマルプロテクタ。
【請求項１２】
前記カバー部材が、ヒートシール用フィルムからなり、該ヒートシール用フィルムを加熱することによってこのカバー部材を前記ケースに接着固定したことを特徴とする請求項１〜７のいずれかに記載のサーマルプロテクタ。
【請求項１３】
前記カバー部材が、耐熱性および電気絶縁性を有したフィルムに粘着材を塗布してなる粘着テープからなり、該粘着テープを前記ケースに貼着したことを特徴とする請求項１〜４，６，７のいずれかに記載のサーマルプロテクタ。
【請求項１４】
前記カバー部材が、前記ケースの材料の融点よりも高くかつ前記熱応動素子の変形温度よりも所定温度以上高い融点を有した樹脂からなるフィルムによって構成され、前記ケースの周壁部端面を加熱溶融させることによってこのカバー部材を前記ケースに接着固定したことを特徴とする請求項１〜７のいずれかに記載のサーマルプロテクタ。
【発明の詳細な説明】
【０００１】
【発明の属する技術分野】
本発明は、電気機器の過度の温度上昇による火災等の危険を防止するために用いられるサーマルプロテクタに関する。
【０００２】
【従来の技術】
この種のサーマルプロテクタは、適用する機器の使用環境によってはスイツチ機構部に水等が浸入することがある。また、この種のサーマルプロテクタが小型電池パックに組込まれる場合、該電池パックに内蔵された２次電池から電解液が漏出してスイッチ機構部に侵入することがある。更に、上記サーマルプロテクタの適用機器の組立工程中において絶縁ワニスが使用される場合には、この絶縁ワニスがスイッチ機構部に浸入することもある。
【０００３】
上記スイッチ機構部に上記水、電解液、ワニス等が侵入した場合、このスイッチ機構部の機能が損なわれる虞がある。しかも、上記電池パックの２次電池が可燃性の電解液を用いるリチウムイオン電池の場合には、漏出した電解液が上記スイツチ機構の接点で発生するアークによって発火する懸念がある。
【０００４】
そこで、従来のサーマルプロテクタでは、有底筒状のケースにスイッチ機構部を挿入して、該ケースの開口部を樹脂やゴムのパッキンで封止したり、ハーメチックシールによって作成した部品と有底筒状の金属製ケースとの間の開口を全周溶接する等の手段を講じて気密性を確保している。
【０００５】
【発明が解決しようとする課題】
しかし、上記いずれの手段も、加工上の手間を要する。すなわち、ケースの開口部を樹脂によって封止する手段は、液状の樹脂を使用するので、該樹脂を硬化するための加熱処理を必要とする。また、上記開口部をパッキンによって封止する手段は、パッキンを一個一個装着する手間を必要とする。更に、ハーメチックシールを用いる手段は、開口部全周の溶接作業後に密閉性の良否を確認するための検査工程が必要となる。
そして、上記いずれの手段もケースに強度が必要になるため、薄肉のケースを使用してサーマルプロテクタの全体形状の小型化および薄型化を図ることが困難になるという欠点がある。
【０００６】
なお、外部接続端子が外部に露出する態様でスイッチ機構部を有底のケースに収容し、このケースの上部開口に蓋を被せた後、この蓋を超音波溶接によって上記ケースの上面に接着する方法も試みられているが、薄型化を図るために上記蓋の厚みを薄くした場合、この蓋が超音波溶接に必要な振動エネルギーに耐えられなくなって損傷する虞がある。
本発明の課題は、このような状況に鑑み、簡易かつ低コストな構成で良好な気密性が得られ、かつ、小型化および薄型化を図ることができるサーマルプロテクタを提供することにある。
【０００７】
【課題を解決するための手段】
本発明は、固定接点、該固定接点に対向して配設された可動接点、および、側方に突出しかつ前記固定接点および可動接点にそれぞれ電気的に接続された第１および第２の外部接続端子を有し、熱応動素子の変形動作によって前記可動接点を変位させて該可動接点を前記固定接点に対して開閉するように構成されたスイッチ機構部と、  前記第１および第２の外部接続端子が貫通する態様で前記スイッチ機構部の周囲に位置される周壁部を有し、前記各外部接続端子と一体成形することによって該各接続端子の貫通部を密着封止した樹脂製の有底ケースと、前記ケースの上部開口が密封されるように前記ケースの周壁部の上端面に密着固定した電気絶縁材料からなるフィルム状のカバー部材と、を備える。
前記スイッチ機構部は、一端部に前記可動接点を設けるとともに他端部を前記第２の外部接続端子に電気的に接続した可動板を備え、該可動板の上方に位置した前記熱応動素子の変形動作によって前記可動板の一端部を上方に変位させて前記可動接点を前記固定接点から離間させるよう構成される。
前記可動板は、その先端部がその後方の部位よりもほぼ該可動板の厚み分だけ上方に位置されるように段状に曲げ加工されるとともに、前記可動接点の後端近傍に位置した部位から後方に向かって突出する切上げ部が形成される。前記熱応動素子は、前記可動板を変位させるために、前記切上げ部の下方に形成された空間にその先端部が嵌挿される。
また、本発明は、固定接点、該固定接点に対向して配設された可動接点、および、側方に突出しかつ前記固定接点および可動接点にそれぞれ電気的に接続された第１および第２の外部接続端子を有し、熱応動素子の変形動作によって前記可動接点を変位させて該可動接点を前記固定接点に対して開閉するように構成されたスイッチ機構部と、前記第１および第２の外部接続端子が貫通する態様で前記スイッチ機構部の周囲に位置される周壁部を有し、前記各外部接続端子と一体成形することによって該各接続端子の貫通部を密着封止した樹脂製の無底ケースと、前記ケースの上部開口および下部開口が密封されるように前記ケースの周壁部の上端面および下端面にそれぞれ密着固定した電気絶縁材料からなるフィルム状のカバー部材と、を備える。
前記スイッチ機構部は、一端部に前記可動接点を設けるとともに他端部を前記第２の外部接続端子に電気的に接続した可動板を備え、該可動板の上方に位置した前記熱応動素子の変形動作によって前記可動板の一端部を上方に変位させて前記可動接点を前記固定接点から離間させるよう構成される。
前記可動板は、その先端部がその後方の部位よりもほぼ該可動板の厚み分だけ上方に位置されるように段状に曲げ加工されるとともに、前記可動接点の後端近傍に位置した部位から後方に向かって突出する切上げ部が形成される。前記熱応動素子は、前記可動板を変位させるために、前記切上げ部の下方に形成された空間にその先端部が嵌挿される。
前記ケースの周壁部の端面は面一に形成することができ、また、前記カバー部材の機械的強度を増すために、該カバー部材の外面を薄肉の金属板からなる補強カバー板で覆うことができる。
接触不安定による前記固定接点と可動接点の異常発熱もしくは異常過大電流による前記可動板の異常発熱に起因して前記熱応動素子が過剰に変形作動した際に、前記可動板の先端部が前記ケースの上部開口を封止するカバー部材の内面に当接するように該カバー部材と前記スイッチ機構部の相対位置関係を設定し、かつ、前記カバー部材の内面を、該内面に当接した前記可動板の先端部の熱によって溶融可能な樹脂で形成するようにしても良い。
前記熱応動素子として、所定の温度下で反転作動するバイメタル素子を用いることができる。また、前記熱応動素子として所定の温度下で変形作動する形状記憶合金を用いることも可能である。
前記カバー部材は、熱硬化性樹脂あるいは紙からなるフィルムの一方の面に熱可塑性樹脂をコーティングした構成を有することができる。この場合、前記熱可塑性樹脂を加熱溶融することによってこのカバー部材を前記ケースに接着固定することができる。
前記カバー部材は、熱硬化性樹脂からなるフィルムの一方の面に熱可塑性樹脂からなるフィルムをラミネートした構成を有することができる。この場合、前記熱可塑性樹脂からなるフィルムを加熱溶融することによってこのカバー部材を前記ケースに接着固定することができる。
前記カバー部材は、熱硬化性樹脂あるいは耐熱紙からなるフィルムに熱可塑性樹脂からなるフィルムを重ね合わせた構成を有することができる。この場合、前記熱可塑性樹脂からなるフィルムを加熱溶融することによってこのカバー部材を前記ケースに接着固定することができる。
前記カバー部材は、互いに融点の異なる複数枚の熱可塑性樹脂からなるフィルムを融点の最も高いフィルムが外面側に位置する態様で積層した構成を有することができる。この場合、少なくとも最も融点の高いフィルムを除くフィルムを加熱溶融することによってこのカバー部材を前記ケースに接着固定することができる。
前記カバー部材として、ヒートシール用フィルムを用いてもよい。この場合、該ヒートシール用フィルムを加熱することによってこのカバー部材を前記ケースに接着固定することができる。
前記カバー部材として、耐熱性および電気絶縁性を有したフィルムに粘着材を塗布してなる粘着テープを用い、該粘着テープを前記ケースに貼着するようにしてもよい。
また、前記カバー部材は、前記ケースの材料の融点よりも高くかつ前記熱応動素子の変形温度よりも所定温度以上高い融点を有した樹脂からなるフィルムによって構成することができる。この場合、前記ケースの周壁部端面を加熱溶融させることによってこのカバー部材を前記ケースに接着固定することができる。
【０００８】
【発明の実施の形態】
図１は、本発明に係るサーマルプロテクタの平面図、図２は、図１のＡ−Ａ断面図である。このサーマルプロテクタは、有底のケース１０にスイッチ機構部２０を収容し、該ケース１０の上部開口をフィルム状のカバー部材３０によって密閉した構成を有する。
【０００９】
ケース１０は、樹脂材料によって形成されており、底部１１と、この底部１１の周縁に沿って立設した周壁部１２とを備えている。このケース１０を形成する樹脂材料としては、比較的融点の高いＰＰＳ（ポリフェニレンスルフィド）樹脂や液晶ポリマー、あるいは、熱硬化性樹脂であるフェノール樹脂や不飽和ポリエステル樹脂等が使用される。
【００１０】
スイッチ機構部２０は、上記ケース１０の周壁部１２を貫通する左右一対の外部回路接続用端子２１，２２と、該ケース１０内に位置された可動板２３およびバイメタル素子２４とを備えている。
上記ケース１０は、スイッチ機構部２０の端子２１，２２と一体に成型されている。したがって、上記周壁部１２に対する上記端子２１，２２の貫通部は該周壁部１２を形成する樹脂によって密着封止されている。
【００１１】
上記端子２１，２２の基部は、ケース１０の内方に位置され、端子２１の基部上面に固定接点２５が形成されている。
可動板２３は、弾性を有した金属板からなり、その先端部下面に上記固定接点２５に対向する可動接点２６を取り付けてある。図４に拡大して示すように、可動板２３は、可動接点２６の後端近傍に位置した部位に、後方に向かって突出する切上げ部２３ａを設けてある。
【００１２】
上記切上げ部２３ａは、可動板２３に該切上げ部２３ａの輪郭に沿う切断線を形成した後、該可動板２３の先端部両サイドを段状に折り曲げ加工することに
よって形成されている。
可動板２３の先端部は、上記折り曲げ加工によってその後方の部位に比してほぼ該可動板２３の厚み分だけ上方に位置している。したがって、切上げ部２３ａの後端側には、可動板２３の後方に向かって開く開口（隙間）２３ｂが形成されている。
【００１３】
熱応動素子であるバイメタル素子２４は、上記可動板２３の上面側に位置されている。このバイメタル板２４は、先端部が上記可動板２３に形成された開口２３ｂに嵌挿され、また、後端部が前記外部接続端子２２の基端部にカシメられた断面コ字状の保持部材２７に遊嵌されている。
なお、図１に示すように、上記バイメタル素子２４の先端部上面は、可動板２３における可動接点２６の取付面にほぼ一致している。
【００１４】
上記バイメタル素子２４が反転していない常温時には、図２に示すように、可動接点２６が可動板２３の弾性力によって固定接点２５に押圧接触している。この状態で、端子２１，２２に接続された図示していない電気機器の異常発熱あるいは端子２１，２２間に流れる負荷電流の増加による可動板２３等の異常発熱によってバイメタル素子２４の周囲温度が所定の反転温度に達すると、図３に示すように、バイメタル素子２４がケース１０底部１１に突設した突起１１ａを支点として反転作動する。
【００１５】
バイメタル素子２４が反転作動すると、該バイメタル素子２４の先端部が可動板２３の切上げ部２３ａ（図４参照）を介して該可動板２３の先端部を持ち上げるので、可動接点２６が固定接点２５から離れて端子２１と端子２２間の電気的な接続が断たれる。
上記のように作動するスイッチ機構部２０は、上記切上げ部２３ａにバイメタル素子２４の先端部上面を係合させた構成を有するので、安定したスイッチング機能を確保した状態で厚み方向の形状を短縮することができる。
【００１６】
次に、カバー部材３０について説明する。カバー部材３０は、例えば、０．１ｍｍ程度の厚みを有するように形成され、ケース１０の周壁部１１ａの上面に接着固定される。以下に、このカバー部材３０の構成および接着方法のいくつかを例示する。
【００１７】
（１）構成例１
この構成例１のカバー部材は、電気絶縁性を有する熱硬化性樹脂あるいは紙からなるフィルムを基材とし、この基材の一方の面に熱可塑性樹脂をコーティングして接着層を形成した構成を有する。
上記熱硬化性樹脂としては、ポリイミド樹脂等が使用され、また紙としては、アラミド紙のような耐熱性を有したものが使用される。そして、上記熱可塑性樹脂としては、ポリアミド、ポリオレフィン、ＥＶＡ、ポリエステル等が使用される。
このカバー部材は、上記接着層が上記周壁部１１ａの上端面に当接する態様で配設され、該接着層を加熱溶融することによって上記周壁部の上端面に接着固定される。
【００１８】
（２）構成例２
この構成例２のカバー部材は、電気絶縁性の熱硬化性樹脂あるいは紙からなるフィルムを基材とし、この基材に熱可塑性樹脂からなるフィルムを接着材として重ね合わせた構成を有する。
上記熱硬化性樹脂、紙および熱可塑性樹脂としては、（１）において例示したものが適用される。
このカバー部材は、上記熱可塑性樹脂からなる接着材フィルムが上記周壁部１１ａの上端面に当接する態様で配設され、該フィルムを加熱溶融することによって上記周壁部１１ａの上端面に接着固定される。
【００１９】
（３）構成例３
この構成例３のカバー部材は、熱硬化性樹脂からなるフィルムの一方の面に熱可塑性樹脂からなるフィルムをラミネートした構成を有する。
上記熱硬化性樹脂としては、熱硬化性のポリイミド樹脂等が使用され、また、上記熱可塑性樹脂としては、熱可塑性のポリイミド樹脂や、テフロン系の樹脂であるＦＥＰ（テトラフルオロエチレン・ヘキサフルオロプロピレン共重合体）等が使用される。
【００２０】
（４）構成例４
この構成例４のカバー部材は、互いに融点の異なる複数枚の熱可塑性樹脂からなるフィルムを、その外面側に最も融点の高いフィルムが位置するように積層した構成を有する。
このカバー部材は、最も融点の高いフィルムが上面となる態様で上記周壁部１１ａの上端面上に配設され、少なくとも最も融点の高いフィルムを除くフィルムを加熱溶融することによって上記周壁部１１ａの上端面に接着固定される。
【００２１】
（５）構成例５
この構成例５のカバー部材は、ヒートシール用フィルムで構成されている。周知のように、ヒートシール用フィルムは、基板に実装するチップ部品をテーピング処理（キャリアテープに所定の間隔で形成された凹部にチップ部品を収納し、加熱によりヒートシールテープとキャリアテープとを接着する処理）する際に使用するものである。
このカバー部材は、接着層が下面となる態様で上記周壁部１１ａの上端面上に配設され、該接着層を加熱面溶融することによって上記周壁部１１ａの上端面に接着固定される。
【００２２】
（６）構成例６
この構成例６のカバー部材は、耐熱性および電気絶縁性を有した樹脂あるいは紙からなるフィルムの一方の面に粘着材を塗布した構成を有する。
上記フィルムを構成する樹脂としては、ポリイミド樹脂等が使用され、また、該フィルムを構成する紙としては、アラミド紙のような耐熱性を有したものが使用される。
このカバー部材は、上記粘着材の粘着力によってケース１０の周壁部１１ａの上端面に接着固定される。
【００２３】
（７）構成例７
この構成例７のカバー部材は、ケース１０の材料の融点よりも高くかつ前記熱応動素子の反転温度よりも所定温度（例えば、５０℃）以上高い融点を有した樹脂からなるフィルムによって構成される。
上記フィルムを構成する樹脂としては、ポリエステル樹脂、ＰＰＳ、ポリイミド等を適用することができる。
このカバー部材は、ケース１０の周壁部１１ａの上端面に配置した後、該上端面を加熱溶融させることによってこの上端面に接着固定される。
【００２４】
上記構成のサーマルプロテクタは、上記フィルム状カバー部材３０によってケース１０の上部開口を密閉しているので、薄型に形成することができ、しかも、ケース１０の周壁部１２に対する端子２１，２２の貫通部が該周壁部１２を形成する樹脂によって密着封止されるので、端子２１，２２の露出部を除くスイッチ機構部２０をケース１０とカバー部材３０とによって画成された密閉空間内に封じ込めることができる。
【００２５】
図５および図６は、機械的強度を増すため、前記カバー部材３０の外面に薄肉の金属板からなる補強カバー板４０を重ね合わせて配設した実施の形態を示す。上記補強カバー板４０は、例えば、厚さ０．１ｍｍ程度のステンレス鋼板で形成され、次のようにしてケース１０に固定されている。すなわち、このカバー部材４０は、その上面に対してほぼ９０度折り曲げられた一対の係止用舌片４１を両側端部にそれぞれ備え、これらの係止用舌片４１をケース１０の側面に形成した溝１３に弾性嵌合させることによってケース１０に固定されている。
【００２６】
上記舌片４１は、二股状に分岐した先端部を備え、これらの先端部を上記溝１３のテーパ状側面に当接係止させてある。したがって、上記補強カバー板４０は、上記カバー部材３０の上面に接した状態が安定に保持される。
上記補強カバー板４０を設けた場合には、カバー部材３０の厚みを０．１ｍｍよりも小さくすることができ、例えば、１５〜５０μｍ程度までその厚みを減少させても良い。
【００２７】
なお、前記スイッチ機構部２０の構成は、図２に示す構成に限定されない。すなわち、可動板２３の下面側にバイメタル素子を設け、このバイメタル素子の反転力で可動板２３の先端部を押し上げることによって可動接点２６を固定接点２５から離間させるようにスイッチ機構部２０を構成しても良い。
また、可動接点２６をバイメタル素子２４の先端部に設け、該バイメタル素子２４の反転動作によって直接接点２５，２６を開閉させるようにスイッチ機構部２０を構成しても良い。もちろん、この場合には、可動板２３が省略されるとともに、バイメタル素子２４の基端部が端子２２に電気的に接続される。
【００２８】
更に、上記バイメタル素子２４に代えて形状記憶合金を使用することも可能である。上記形状記憶合金として一方向性のものを使用する場合には、この形状記憶合金と可動板２３とを組合わせて、該形状記憶合金の変形力によって可動板２３を変位させるとともに、可動板２３の弾性反力によって形状記憶合金を復帰動作させる。
【００２９】
もちろん、上記一方向性の形状記憶合金に可動接点２６を設けて、該形状記憶合金の変形動作によって直接接点２５，２６を開閉させるように構成することも可能である。このように構成されたスイッチ機構部は、一度変形動作した形状記憶合金がその変形状態を保持することになるので、いわゆるワンショット型のサーマルプロテクタとしての機能を持つことになる。
【００３０】
一方、形状記憶合金として二方向性のものを使用する場合には、可動板２３が省略される。すなわち、形状記憶合金に可動接点２６を設けて、該形状記憶合金の変形動作によって直接接点２５，２６を開閉させる。
なお、この場合には、形状記憶合金の内部抵抗を低減する目的で、該形状記憶合金の一端と他端間を柔軟性のあるバイパス用良導体によって短絡することができる。
【００３１】
図２および図６に示したサーマルプロテクタは、有底のケース１０を使用しているが、このケース１０に代えて図示していない無底のケースを使用することも可能である。
この場合には、図２に示す周壁部１２の下端面に前記カバー部材３０と同様のカバー部材を接着して、この無底ケースの下部開口を密閉し、かつ、必要に応じて、該カバー部材の外面に図６に示す補強カバー板４０と同様の補強カバー板を重ね合わせ配設する。
【００３２】
ところで、上述したサーマルプロテクタは、適用機器の異常による保護動作の繰り返えしに伴って、接点２５，２６が徐々に損耗する。そして、その損耗が一定以上進行すると、接点２５，２６の接触状態が不安定となって該接点２５，２６が異常に発熱し、最悪の場合には、接点２５，２６が相互に溶着することもまま有り得る。
【００３３】
上記接点２５，２６が溶着する前の段階では、該接点２５，２６が相当に発熱した状態にある。この状態で、バイメタル素子２４が反転して接点２５，２６が開かれた場合を考えると、この場合には、バイメタル素子２４の周囲温度が上記接点２５，２６の発熱の影響で通常の反転温度よりも上昇した状態（オーバーシュート）にあるので、バイメタル素子２４が通常の曲率半径よりも小さな曲率半径を示す態様で反り返ることになる。
そして、このように、バイメタル素子２４が過剰に反り返えった場合には、可動板２３の先端部が通常よりも大きく持上げられる（スイッチ機構の構成によっては、押し上げられる）ので、可動接点２６の上昇高さが大きくなる。
【００３４】
本発明に係るサーマルプロテクタにおいては、上記のようにバイメタル素子２４が過剰に反り返えった場合に、可動板２３の先端部上面がカバー部材３０の内面に押圧当接するように該カバー部材３０の配設高さを設定してある。
したがって、バイメタル素子２４が過剰に反り返えった場合、接点２６の発熱によって高温に加熱された可動板２３の先端部がカバー部材３０の内面に当接して該内面を溶融し、かつ、その後の冷却によってカバー部材３０の内面に接着固定されることになる。
【００３５】
つまり、本発明のサーマルプロテクタは、接触不安定による接点２５，２６の異常発熱下でバイメタル素子２４が反転作動した場合に、その機能を停止して接点２５，２６の開放状態を維持するように作用する。それ故、接点２５，２６が溶着して適用機器の通電状態が継続されるという事態を回避することができる。もちろん、この様な機能を得るには、上記カバー部材３０の内面を構成する樹脂材料として、その融点が上記加熱された可動板２３の先端部の温度よりも低いものを選択する必要がある。
【００３６】
上記バイメタル素子２４の過剰な反り返り動作は、接点２５，２６の異常発熱以外の要因によっても発生する。すなわち、可動板２３に過大な異常負荷電流が流れた場合には、可動板２３の発熱量が異常に大きくなってバイメタル素子２４が過剰に反り返ることになる。
この場合においても、発熱した可動板２３の先端部がカバー部材３０の内面に接着固定されて、接点２５，２６の開放状態が維持されるので、上記過大な異常負荷電流による負荷の焼損等を未然に防止することができる。
【００３７】
なお、上記の安全機能は、可動接点２６をバイメタル素子２４の先端部に設ける形式のスイッチ機構部を採用した場合や、バイメタル素子２４に代えて形状記憶合金を使用する形式のスイッチ機構部を採用した場合においても当然得ることができる。
【００３８】
【発明の効果】
本発明によれば、少なくとも以下のような効果が得られる。
（１）  簡易かつ低コストな構成でスイッチ機構部を気密状態に保持することができるサーマルプロテクタを提供することができる。
（２）  また、安全規格で認定されている絶縁物の中では、樹脂成型物よりも厚さの薄いフィルム状のカバー部材をケースの開口部の封止に使用しているので、小型かつ薄型に構成することができる。
（３）  十分な気密性が確保されるので、電解液の漏出の可能性のある2次電池パックに用いるサーマルプロテクタとして好適である。
（４）  外力に対する機械的強度の要求には、カバー部材の外面を薄肉の金属板からなる補強カバー板で覆うことによって対応することができ、その場合、該補強カバー板の内面が上記カバー部材によって覆われるので、補強カバー板を絶縁チューブや絶縁チューブによって電気的に絶縁する必要がない。
（５）  接触不安定によって固定接点と可動接点が異常発熱した場合もしくは異常過大電流によって熱応動素子（または、可動板）が異常発熱した場合に、カバー部材の熱溶融性および固着性を利用してスイッチ機構部の接点開放状態を継続保持させるという安全機能を付与することが可能である。
【図面の簡単な説明】
【図１】本発明に係るサーマルプロテクタの実施形態を示す平面図。
【図２】図１のＡ−Ａ断面図。
【図３】接点が開いた状態を示す断面図。
【図４】可動板の先端部の形状を示す斜視図。
【図５】補強カバー板の取付け態様を例示した平面図。
【図６】補強カバー板の取付け態様を例示した側面図。
【符号の説明】
１０  ケース
１１  底部
１２  周壁部
２０  スイッチ機構部
２１，２２  外部回路接続用端子
２３  可動板
２４  バイメタル素子
２５  固定接点
２６  可動接点
３０  カバー部材
４０  補強カバー板
【図１】
0004312350.tif 000002
【図２】
0004312350.tif 000003
【図３】
0004312350.tif 000004
【図４】
0004312350.tif 000005
【図５】
0004312350.tif 000006
【図６】
0004312350.tif 000007